(57)【特許請求の範囲】
【請求項１】
記録光を透過する透光性基板（１）と、この透光性基板（１）上に形成された記録層（１２）と、この記録層（１２）の上に形成され、再生光を反射する反射層（１３）とを有し、前記透光性基板（１）から入射させた記録光により、光学的に読み取り可能な信号を記録する光情報媒体において、透光性基板（１）の記録層（１２）が形成される面側に、螺旋溝状のトラッキングガイド（３）を有し、このトラッキングガイド（３）の間のランド（８）に、アドレス情報を示すランドプレピット（６）が形成され、このランドプレピット（６）より透光性基板（１）の内周側にあるトラッキングガイド（３）の前記ランドプレピット（６）より透光性基板（１）の内周側にあるトラッキングガイド（３）の前記ランドプレピット（６）に隣接する部分の深さがトラッキングガイド（３）の他の部分より浅いかまたはランド（８）と同一の高さになっており、且つ前記ランドプレピット（６）より透光性基板（１）の外周側にあるトラッキングガイド（３）の前記ランドプレピット（６）に隣接する部分の深さがトラッキングガイド（３）の他の部分と同等になっていることを特徴とする光情報媒体。
【請求項２】
ランドプレピット（６）より透光性基板（１）の内周側にあるトラッキングガイド（３）の前記ランドプレピット（６）に隣接する部分の幅がトラッキングガイド（３）の他の部分と異なっていることを特徴とする請求項１に記載の光情報媒体。
【請求項３】
ランドプレピット（６）より透光性基板（１）の内周側にあるトラッキングガイド（３）の前記ランドプレピット（６）に隣接する部分の幅がトラッキングガイド（３）の他の部分より狭くなっていることを特徴とする請求項１または２に記載の光情報媒体。
【請求項４】
ランドプレピット（６）がランド（８）の中心より透光性基板（１）の内周側にオフセットされていることを特徴とする請求項１〜３の何れかに記載の光情報媒体。
【発明の詳細な説明】
【０００１】
【発明の属する技術分野】
本発明は、光学的に再生可能な情報が記録し得る光情報媒体に関し、特に６３０〜６７０ｎｍの短波長赤色レーザ光により記録、再生される高密度記録媒体であって、透光性基板の溝状のトラッキングガイドの間のランドにアドレス情報等を示すランドプレピットを有する光情報媒体に関する。
【０００２】
【従来の技術】
最近の短波長レーザーの開発と実用化に伴い、より高密度な記録再生を可能とするＤＶＤ（Digital Versatile Disc）の規格の標準化に伴い、その実用化が進んでいる。このＤＶＤでは、その少なくとも一方の主面にデータ記録領域が設定され、このデータ記録領域に情報記録手段であるピットが形成され、その上に金属膜からなる反射層が形成されている。
【０００３】
前記ＤＶＤでは、現在最も一般的な光情報媒体の規格であるＣＤ（Compact Disc）と比較して、高密度化のために異なる規格が定められている。例えば、光学ピックアップにおいては、波長６３０ｎｍ〜６７０ｎｍという短波長赤色レーザを使用すること、開口率ＮＡが０．６という高開口率対物レンズを使用すること等である。
【０００４】
またこれに伴い、ディスクの反り等に対応するため、０．６ｍｍ厚というＣＤの約半分の厚さのディスクが採用されている。ただ、ディスク厚１．２ｍｍのＣＤとの寸法上の互換性を確保するため、２枚のディスクの貼り合わせ構造としている。ＤＶＤ規格では、１枚のディスクに標準で最大記録容量約４．７ＧＢ、映像と音声を平均約１３３分収録することが規格化されている。
【０００５】
これまで、ＣＤ−Ｒ等の記録可能なＣＤでは、螺旋溝状のトラッキングガイドの蛇行（Wobble）をＦＭ変調しＡＴＩＰ（Absolute Time In Pregroove）と呼ばれるアドレス情報を得ている。これに対し、ＤＶＤ−Ｒ等の記録可能なＤＶＤでは、ＡＴＩＰに代えて、ウォブルと共にトラッキングガイドの間のランド部分に予め設けたランドプレピットにより光情報媒体上における位置情報等のアドレス情報を得る。
【０００６】
【発明が解決しようとしている課題】
前記のような高密度記録媒体であるＤＶＤで採用されるランドプレピットは、光学ピックアップで記録信号のピットと共に読み込まれる。このとき光学ピックアップは、トラッキングガイドに沿ってトラッキングサーボされるため、ランドプレピットとグルーブ上に形成されるデータ信号を記録したピットとは判別して読み取られるべきである。
【０００７】
しかしながら、ランドプレピットが存在する部分は、それ以外の部分と光学条件が部分的に異なるため、ランドプレピットの存在する部分でデータ内容を記録したピットから得られるＲＦ信号、すなわち本来の信号に変化が現れてしまう。より具体的に言うと、未記録状態では、ランドプレピットが存在する部分の反射率が、それ以外の部分より低下し、もしくは増大してしまうことにより、デフェクト（欠陥）と同様の状態を示すことがある。また、記録状態においては、ランドプレピットの存在により、再生信号が記録されたピットの実際の信号よりも長くなったり短くなったりする現象を起こす。この現象はデータ信号の読み取りにエラーが発生する原因になる。
【０００８】
ランドプレピットは光情報媒体の記録面に相当の数存在するため、前記のような諸現象が起こると、かなりの確率でエラーが発生することになる。特にランドプレピットはトラッキングガイドの間にあるランドに存在することから、再生光のスポットがランドプレピットより内周側のトラッキングガイドを通過する時とランドプレピットより外周側のトラッキングガイドを通過する時とで２回のエラーを起こす可能性があり、ランドプレピットにより起こるエラーの確率はかなり高くなる。
【０００９】
本発明では、前記のような高密度記録に対応した光情報媒体のアドレス情報を読み取るためのランドプレピットの存在に伴う課題に鑑み、その目的は、記録された信号を光学的に読み取る際に、アドレス情報を示すランドプレピットの存在による光学的条件の違いに起因して起こる読み取りのエラーを無くし、データ信号のエラーレートを低く抑えることができる光情報媒体を提供することである。
【００１０】
【課題を解決するための手段】
前記の目的を達成するため、本発明では、アドレス情報を示すランド８上に設けられるランドプレピット６に隣接する部分において、溝状のトラッキングガイド３の形状を他の部分と変えたものである。具体的には、ランドプレピット６に隣接する部分のトラッキングガイド３の深さを変えたり、或いは幅を変えるものである。これにより、ランドプレピット６の存在による光学条件の違いを調整し、修正する。
【００１１】
本発明による光情報媒体は、記録光を透過する透光性基板１と、この透光性基板１上に形成された記録層１２と、この記録層１２の上に形成され、再生光を反射する反射層１３とを有し、前記透光性基板１から入射させた記録光により、光学的に読み取り可能な信号を記録するものであって、透光性基板１の記録層１２が形成される面側に、螺旋溝状のトラッキングガイド３を有し、このトラッキングガイド３の間のランド８に、アドレス情報を示すランドプレピット６が形成され、このランドプレピット６より透光性基板１の内周側にあるトラッキングガイド３の前記ランドプレピット６に隣接する部分の深さがトラッキングガイド３の他の部分より浅いかまたはランド８と同一の高さになっており、かつ前記ランドプレピット６より透光性基板１の外周側にあるトラッキングガイド３の前記ランドプレピット６に隣接する部分の深さがトラッキングガイド３の他の部分と同等になっているものである。
【００１３】
また、トラッキングガイド３の前記ランドプレピット６に隣接する部分の深さだけでなく、トラッキングガイド３のランドプレピット６に隣接する部分の幅を変えてもよい。具体的には、ランドプレピット６より透光性基板１の内周側にあるトラッキングガイド３の前記ランドプレピット６に隣接する部分の幅を、トラッキングガイド３の他の部分より狭くするものである。
【００１４】
このように、トラッキングガイド３のランドプレピット６と透光性基板１の内周側に隣接する部分の深さや幅を変える、具体的には、その深さを浅くたり、その幅を狭くすることにより、この部分の光学条件がトラッキングガイド３のそれ以外の部分と違うようになる。前述したように、もともとトラッキングガイド３のランドプレピット６に隣接する部分は、トラッキングガイド３の他の部分と光学条件が異なるが、前記のようにして、トラッキングガイド３のランドプレピット６に隣接する部分の深さを浅くしたり、その幅を狭くし、その部分の光学的条件を適宜設定することにより、ランドプレピット６の存在による光学条件の違いを無くすことができるものである。
【００１５】
また、ランドプレピット６は、読み取りレーザ光のスポットがランドプレピット６の内周側のトラッキングガイド３を通過するときに正常に読み取れるように記録されている。そのため、ランドプレピット６は、読み取りレーザ光のスポットがその内周側のトラッキングガイド３を通過するときのみ読み取れれば良い。むしろ、読み取りレーザ光のスポットがランドプレピット６の外側のトラッキングガイド３を通過するとき、そのランドプレピット６を読み取ってしまうと、エラー発生の危険のみが生じる。
【００１６】
そこで、ランドプレピット６をランド８の中心より透光性基板１の内周側にオフセットする。これにより、読み取りレーザ光のスポットがランドプレピット６の外側のトラッキングガイド３を通過するとき、そのランドプレピット６の影響を少なくし、なお且つ読み取りレーザ光のスポットがランドプレピット６より内周側にあるトラッキングガイド３を通過するときそのランドプレピット６の信号を確実に読み取ることができる。特に、ランドプレピット６に隣接する部分のトラッキングガイド３の深さを浅くした場合や幅を狭くした場合は、ランドプレピット６のオフセット量を大きくとることが可能なので、有効である。
【００１７】
【発明の実施の形態】
次に、図面を参照しながら、本発明の実施の形態について具体的且つ詳細に説明する。
本発明による光情報媒体の一例として、両面貼り合わせによる片面記録・再生構造を有する追記形光情報媒体の例を図１〜図３に示す。
透光性基板１は、中央にセンターホール９を有する透明な円板状の基板である。この透光性基板１は、一般にポリカーボネート、ポリメチルメタクリレート（ＰＭＭＡ）等の透明樹脂を射出成形して作られる。
【００１８】
この透光性を有する透光性基板１の片面の前記センターホール４の外側にクランピングエリアが設定されており、このクランピングエリアの外周側がデータ記録領域となる。透光性基板１のデータ記録領域の部分には、スパイラル状のグルーブからなるトラッキングガイド３が形成されている。このトラッキングガイド３のピッチは、０．７４μｍを標準とする。
【００１９】
図３に示す通り、前記のトラッキングガイド３の間のランド８には、光情報媒体への信号の記録時に、アドレス情報等を示すための窪み状のランドプレピット６が適当な間隔で形成されている。このランドプレピット６は、前記トラッキングガイド３と共に、透光性基板１の射出成形時に予め形成される。
【００２０】
透光性基板１のランドプレピット６を有する部分の一例の詳細を図４〜６に示す。これらの図に示すように、この透光性基板１の例では、トラッキングガイド３の一部に隆起部７が設けられており、その位置はランドプレピット６と透光性基板１の内周側（図において左側）に隣接する部分である。図５に示すように、この隆起部７の高さは、ランド８の高さと同じになっている。換言すると、この隆起部７により、その部分のトラッキングガイド３の深さはランド８の面と面一になり、その深さは０となる。ランドプレピット６に隣接しない部分のトラッキングガイド３は図６に示す通りである。すなわち、ランドプレピット６に隣接するその内周側の隆起部７の部分は、トラッキングガイド３のそれ以外の部分より溝が無く、ランド８と同じ高さになっており、その分浅いことになる。他方、図５から明らかな通り、ランドプレピット６より透光性基板１の外周側にあるトラッキングガイド３の前記ランドプレピット６に隣接する部分の深さは、トラッキングガイド３の他の部分と同等である。
【００２１】
さらに、図７と図８に示した例は、前記のようにトラッキングガイド３のランドプレピット６と透光性基板１の内周側に隣接する部分に隆起部７が設けられたのに加え、トラッキングガイド３をランド８の中心から透光性基板１の内周側、つまりトラッキングガイド３の隆起部７側にオフセットしたものである。
【００２２】
このようにして、ランドプレピット６を透光性基板１の内側にオフセットすることにより、読み取りレーザ光のスポットがランドプレピット６の外側のトラッキングガイド３を通過するときそのランドプレピット６の影響を少なくすることができる。しかも、読み取りレーザ光のスポットがランドプレピット６の内側のトラッキングガイド３を通過するときそのランドプレピット６の信号を確実に読み取ることができる。
【００２３】
透光性基板１のランドプレピット６を有する部分の他例の詳細を図９と図１０に示す。これらの図に示すように、この透光性基板１の例では、トラッキングガイド３のランドプレピット６と透光性基板１の内周側に隣接する部分に隆起部７が形成されている点は、前述の例と同じである。但し、この例における前記隆起部７の高さは、図５に示すように、トラッキングガイド３の他の部分の深さの約１／２となっている。換言すると、この隆起部７により、ランドプレピット６に隣接するその内側部分のトラッキングガイド３の深さは、トラッキングガイド３の他の部分の約１／２である。
【００２４】
前述の３つの例において、トラッキングガイド３のランドプレピット６と透光性基板１の内周側に隣接する部分の深さを浅くすることにより、ランドプレピット６が存在するが故に光学条件がトラッキングガイド３の他の部分と異なるのを修正するものである。従って、隆起部７の高さ、つまりその部分のトラッキングガイド３の深さは、トラッキングガイド３のランドプレピット６が隣接する部分とそれ以外の部分との光学条件の違いを無くすように設定する。
【００２５】
透光性基板１のランドプレピット６を有する部分の他例の詳細を図１１と図１２に示す。これらの図に示すように、この透光性基板１の例では、トラッキングガイド３のランドプレピット６と透光性基板１の内周側に隣接する部分の両側にトラッキングガイド３の中心側に向けて迫り出した突出部９を設けている。従って、トラッキングガイド３のその部分の幅は、トラッキングガイド３の他の部分より狭くなっている。
前述の実施例では、ランドプレピット６より透光性基板１の内周側にあるトラッキングガイド３の前記ランドプレピット６に隣接する部分の深さがその幅全体にわたってトラッキングガイド３の他の部分より浅いかまたはランド８と同一の高さになっている。これに対し、この実施例ではトラッキングガイド３の一部、すなわち前記突出部９の部分だけがトラッキングガイド３の他の部分より浅いかまたはランド８と同一の高さになっている。
【００２６】
さらに、図１３と図１４に示した例は、前記のようにトラッキングガイド３のランドプレピット６と透光性基板１の内周側に隣接する部分に突出部９を設け、その部分を狭くしたのに加え、トラッキングガイド３を透光性基板１の内側、つまりトラッキングガイド３側にオフセットしたものである。
【００２７】
これらの例のように、トラッキングガイド３のランドプレピット６と透光性基板１の内周側に隣接する部分を、トラッキングガイド３の他の部分に比べて狭くすることにより、前述の例と同様にして、ランドプレピット６が存在するが故に光学条件がトラッキングガイド３の他の部分と異なるのを修正する。
【００２８】
なお、トラッキングガイド３のランドプレピット６と透光性基板１の内周側に隣接する部分を、トラッキングガイド３の他の部分に比べて狭くすることと、そのランドプレピット６と隣接する部分を他の部分に比べて浅くすることを併用することもできる。
【００２９】
このような透光性基板１を用意した後、図１〜図３に示すように、透光性基板１の主面に記録層１２が形成される。例えば、スピンコート法等の手段で有機色素等が塗布され、記録層１２が形成される。さらにこの記録層１２の上に、金、アルミニウム、銀、銅、パラジウム等の金属膜、これらの合金膜或いはこれら金属に微量成分が添加された合金膜からなる反射層１３が形成される。さらに反射層１３の上に、紫外線硬化性樹脂等の保護膜１４が形成される。
【００３０】
この透光性基板１の他にもう１枚の基板５を用意する。この基板５は、前記透光性基板１と同じ材質で出来た同じサイズのものであるが、その主面には、前記透光性基板１のようなトラッキングガイド３、記録層１２、反射層１３は設けられていない。もちろん、この他の基板５にも前記透光性基板１と同様に、トラッキングガイド３を有する基板５上に記録層１２や反射層１３等を設けることもできる。
【００３１】
次に、これらの２枚の基板１、５を貼り合わせる。例えば、スピンコート法やスクリーン印刷法等の手段により、２枚の基板１、５の少なくとも一方の主面に接着剤として反応性硬化樹脂が塗布され、さらにこれらの面が互いに向かい合わせて重ね合わせられ、且つ前記反応性硬化樹脂が硬化される。これにより、前記反応性硬化樹脂が硬化することにより形成された接着層１１により、２枚の基板１、５の主面が互いに貼り合わせられる。この場合、透光性基板１はその上に形成された保護層１４が接着される。
【００３２】
前記の例は、トラッキングガイド３を有する透光性基板上に記録層１２と反射層１３とを形成した透光性基板１と、記録層１２と反射層１３とを形成していない他の基板５とを貼り合わせた例である。これらの場合は、片面のみ記録・再生が可能である。前記他の基板５は、透光性を有しないものや、耐光性を保持するために着色してあるもの、或いは表面に文字、図柄、書き込み可能な領域を設けたものであってもよい。
【００３３】
他方、トラッキングガイド３を有する透光性基板１上に記録層１２と反射層１３とを設けた２枚の透光性基板１を２枚用意し、これらの記録層１２及び反射層１３側を向かい合わせて貼り合わせた、いわゆる両面記録・再生構造の光情報媒体とすることもできる。
【００３４】
【実施例】
次に、本発明の実施例について、具体的な数値をあげて説明する。
（実施例１）
スタンパを用いて樹脂成形することにより、外径１２０ｍｍφ、内径１５ｍｍφ、厚さ０．５９７ｍｍ、屈折率１．５９のポリカーボネート基板であって、その一方の主面に半値幅０．３１μｍ、深さ１４０ｎｍ、ピッチ０．７４μｍのトラッキングガイド３を有する透光性基板１を用意した。このトラッキングガイド３の間のランド８の部分には、径ｄの半値幅が０．２７μｍ、そのバラツキが±０．０２μｍの複数のランドプレピット６が形成されている。前記トラッキングガイド３のランドプレピット６と透光性基板１の内周側に隣接する部分には、図４と図５に示すようなランド８と同じ高さの隆起部７が設けられ、その部分のトラッキングガイド３の深さが０となっている。この隆起部７のトラッキングガイド３の長手方向に沿った寸法は、０．３μｍである。
【００３５】
この透光性基板１の前記トラッキングガイド３を有する面側に、トリメチン色素（シアニン色素）の溶液をスピンコートして成膜し、膜厚６０ｎｍの記録層１２を形成した。トリメチン色素（シアニン色素）の溶液をスピンコートしたときのレベリング率は０．３８であった。
【００３６】
さらに、前記記録層３の上に金をスパッタリングし、反射層１３を形成した。この上に紫外線硬化性樹脂をスピンコートし、これに紫外線を照射して硬化させ、保護層１４を形成した。この保護層１４に紫外線硬化性樹脂製の接着剤を塗布し、前記と同じ材質、形状の基板５を貼り合わせ、前記接着剤に紫外線を照射して硬化させ、接着した。これにより、光情報媒体を作った。
【００３７】
こうして作られた光情報媒体について、波長６５５ｎｍのレーザ光を発する光学ピックアップ（開口率０．６）を使用し、ランドプレピット６から信号を読み取ったところ、その信号の振幅が０．２２、信号のエラーレートが１．０％と良好な特性を示した。
【００３８】
さらにこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、安定してデータ信号の読み取りを行うことができた。データ信号のエラーレートは５０／８ＥＣＣと少なく、安定した再生が可能であった。信号の変調度が６１％、ジッターが７．８％と、何れも好ましい結果が得られた。
【００３９】
（実施例２）
前記実施例１において、図７と図８に示すように、ランド８に形成されたランドプレピット６がランド８の中央から透光性基板１の内周側に０．０７μｍオフセットされている透光性基板１を用いた以外は、同実施例１と同様にして光情報媒体を作った。
【００４０】
こうして作られた光情報媒体について、波長６５５ｎｍのレーザ光を発する光学ピックアップ（開口率０．６）を使用し、ランドプレピット６から信号を読み取ったところ、その信号の振幅が０．２３、信号のエラーレートが１．０％と良好な特性を示した。
【００４１】
さらにこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、安定してデータ信号の読み取りを行うことができた。データ信号のエラーレートは３５／８ＥＣＣと少なく、安定した再生が可能であった。信号の変調度が６２％、ジッターが７．７％と、何れも好ましい結果が得られた。
【００４２】
（実施例３）
前記実施例１において、図９と図１０に示すように、トラッキングガイド３のランドランドプレピット６と透光性基板１の内周側に隣接する部分に高さ７０ｎｍの隆起部７が形成され、この隆起部７によりその部分の深さが７０ｎｍとなっている透光性基板１を用いた以外は、同実施例１と同様にして光情報媒体を作った。
【００４３】
こうして作られた光情報媒体について、波長６５５ｎｍのレーザ光を発する光学ピックアップ（開口率０．６）を使用し、ランドプレピット６から信号を読み取ったところ、その信号の振幅が０．２３、信号のエラーレートが０．７％と良好な特性を示した。
【００４４】
さらにこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、安定してデータ信号の読み取りを行うことができた。データ信号のエラーレートは３０／８ＥＣＣと少なく、安定した再生が可能であった。信号の変調度が６３％、ジッターが７．６％と、何れも好ましい結果が得られた。
【００４５】
（実施例４）
前記実施例１において、図１１と図１２に示すように、トラッキングガイド３のランドランドプレピット６と透光性基板１の内周側に隣接する部分に隆起部７が無く、その部分の両側に長さ０．３μｍの突起部９が張り出しており、その結果、その部分の半値幅がトラッキングガイド３の他の部分より狭く０．２μｍであり、その深さがトラッキングガイド３の他の部分と同じ１４０ｎｍとなっている透光性基板１を用いた以外は、同実施例１と同様にして光情報媒体を作った。
【００４６】
こうして作られた光情報媒体について、波長６５５ｎｍのレーザ光を発する光学ピックアップ（開口率０．６）を使用し、ランドプレピット６から信号を読み取ったところ、その信号の振幅が０．２０、信号のエラーレートが１．２％と良好な特性を示した。
【００４７】
またこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、安定してデータ信号の読み取りを行うことができた。データ信号のエラーレートは４５／８ＥＣＣと少なく、安定した再生が可能であった。信号の変調度は６１％、ジッターが７．７％と、好ましい結果が得られた。
【００４８】
（実施例５）
前記実施例４において、図１３と図１４に示すように、ランド８に形成されたランドランドプレピット６がランド８の中央から透光性基板１の内周側に０．１μｍオフセットされている透光性基板１を用いた以外は、同実施例１と同様にして光情報媒体を作った。
【００４９】
こうして作られた光情報媒体について、波長６５５ｎｍのレーザ光を発する光学ピックアップ（開口率０．６）を使用し、ランドプレピット６から信号を読み取ったところ、その信号の振幅が０．２０、信号のエラーレートが０．９％と良好な特性を示した。
【００５０】
またこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、安定してデータ信号の読み取りを行うことができた。データ信号のエラーレートは２５／８ＥＣＣと少なく、安定した再生が可能であった。信号の変調度が６２％、ジッターが７．７％と、何れも好ましい結果が得られた。
【００５１】
（比較例１）
前記実施例１において、トラッキングガイド３のランドランドプレピット６と透光性基板１の内周側に隣接する部分に隆起部７や突出部９が無く、その部分の深さや幅がのトラッキングガイド３の他の部分と異ならない透光性基板１を用いた以外は、同実施例１と同様にして光情報媒体を作った。
【００５２】
こうして作られた光情報媒体について、波長６５５ｎｍのレーザ光を発する光学ピックアップ（開口率０．６）を使用し、ランドプレピット６から信号を読み取ったところ、その信号の振幅が０．２１、信号のエラーレートが１．２％と良好な特性を示した。
【００５３】
またこの光情報媒体について、前述と同じシステムを使用し、記録パワー１０ｍＷでＥＦＭ−Ｐｌｕｓ信号を記録した。その後、波長６５５ｎｍのレーザ光を発する光学ピックアップ（開口率０．６）を使用し、記録信号を読み出したところ、データ信号の読み取りが前記実施例１〜５に比べて不安定であった。データ信号のエラーレートは３００／８ＥＣＣと前記実施例１〜５に比べて大きく、再生が不安定であった。信号の変調度は６２％、ジッターは７．９％と、それらについては好ましい結果が得られた。
【００５４】
【発明の効果】
以上説明した通り、本発明による光情報媒体では、記録された信号を光学的に読み取る際に、アドレス情報を示すランドプレピット６の存在により生じる読み取りのエラーを無くし、データ信号のエラーレートを低く抑えることができる。これにより、記録された信号を安定して再生することが可能となる。
【図面の簡単な説明】
【図１】本発明による光情報媒体の例を示す２枚の基板を貼り合わせる前の状態の半断面分解斜視図である。
【図２】同光情報媒体を示す一部縦断面斜視図である。
【図３】同光情報媒体の一部を示す要部縦断側面図である。
【図４】同光情報媒体に使用される透光性基板の例を示す要部拡大平面図である。
【図５】図４においてＡ−Ａの位置で断面して示した断面図である。
【図６】図４においてＢ−Ｂの位置で断面して示した断面図である。
【図７】同光情報媒体に使用される透光性基板の他の例を示す要部拡大平面図である。
【図８】図７においてＣ−Ｃの位置で断面して示した断面図である。
【図９】同光情報媒体に使用される透光性基板の他の例を示す要部拡大平面図である。
【図１０】図９においてＤ−Ｄの位置で断面して示した断面図である。
【図１１】同光情報媒体に使用される透光性基板の他の例を示す要部拡大平面図である。
【図１２】図１１においてＥ−Ｅの位置で断面して示した断面図である。
【図１３】同光情報媒体に使用される透光性基板の他の例を示す要部拡大平面図である。
【図１４】図１２においてＦ−Ｆの位置で断面して示した断面図である。
【符号の説明】
１    透光性基板
３    トラッキングガイド
６    ランドプレピット
８    ランド
１２  記録層
１３  反射層
【図１】
0003723733.tif 000002
【図２】
0003723733.tif 000003
【図３】
0003723733.tif 000004
【図４】
0003723733.tif 000005
【図５】
0003723733.tif 000006
【図６】
0003723733.tif 000007
【図７】
0003723733.tif 000008
【図８】
0003723733.tif 000009
【図９】
0003723733.tif 000010
【図１０】
0003723733.tif 000011
【図１１】
0003723733.tif 000012
【図１２】
0003723733.tif 000013
【図１３】
0003723733.tif 000014
【図１４】
0003723733.tif 000015